(57)【特許請求の範囲】
【請求項１】
浴室出入口の建具下枠に流入した排水を浴室内の排水口側まで導くために、防水パンの周縁に形成された周縁溝内に対し上方に取り外し得るように着脱自在に装着された排水用樋部材であって、
前記建具下枠から流出する排水を受け入れて前記排水口側まで導く樋部と、
前記周縁溝の上部を閉塞する閉塞部と、
前記樋部と前記閉塞部とを連結する連結部とよりなることを特徴とする、
浴室の排水用樋部材。
【請求項２】
前記樋部と、前記閉塞部と、前記連結部とは、断面略Ｃ字状に一体に形成されていることを特徴とする、請求項１に記載の浴室の排水用樋部材。
【請求項３】
前記周縁溝には、その外側に前記建具下枠及び浴室の壁体が据え付けられており、
前記閉塞部は、前記建具下枠と前記浴室の壁体に、又は前記建具下枠と前記浴室の壁体及び前記周縁溝に密接するよう張り出したシール部材を有することを特徴とする、
請求項１又は２に記載の浴室の排水用樋部材。
【請求項４】
前記周縁溝には、その外側に前記建具下枠及び浴室の壁体が据え付けられており、
前記樋部は、前記建具下枠と前記浴室の壁体に密接するよう張り出したシール部材を有することを特徴とする、
請求項１乃至３のいずれかに記載の浴室の排水用樋部材。
【請求項５】
前記周縁溝は、前記防水パンの周縁に亘って連続して形成され、
前記排水用樋部材は、前記周縁溝の線状部に位置する部分と、前記周縁溝のコーナー部に位置する部分とを、独立した別部材で形成したことを特徴とする、
請求項１乃至４のいずれかに記載の浴室の排水用樋部材。
【請求項６】
前記周縁溝のコーナー部に位置する部分には、着脱のための手掛りが形成されていることを特徴とする、
請求項５に記載の浴室の排水用樋部材。
【発明の詳細な説明】
【０００１】
【発明の属する技術分野】
本発明は、浴室出入口の建具下枠に流入した排水を浴室内の排水口側まで導くために、防水パンの周縁溝内に着脱自在に装着した排水用樋部材に関するものである。
【０００２】
【従来の技術】
浴室の出入口側に流れる浴室床上の排水を、浴室出入口の建具下枠に流入させた後に、浴室の防水パンの周縁部に設けた排水溝で受け、この排水溝を介して浴室の排水口側まで導いて排水する方法（特開平９−１９５５４２号参照）や、建具下枠に流入させた排水を、建具下枠の下部に設けた樋部で受け、この樋部から浴室の床下に配管した排水管を介して、排水口側のトラップ部まで導く排水方法（特開平１１−１６６３２２号参照）が存在する。
【０００３】
【発明が解決しようとする課題】
上述のような排水が流れる排水溝や建具下枠の樋部及び排水管は、時間が経つにつれて次第に汚れや臭いが発生するため、清掃する必要がある。このとき、上記の排水溝を用いる方法の場合、排水溝は浴室床の周縁部に設けられているため、清掃作業の際には、小さくかがんで力の入り難い姿勢で行わなければならず作業性が悪かった。また、上記の建具下枠の樋部や排水管を用いる方法の場合も、樋部は建具下枠に一体的に設けられているため、また排水管は浴室の床下に配設されているため、いずれも清掃が困難な場所であり作業性が悪く、また、排水構造が複雑であるためコスト高を招いていた。
【０００４】
本発明は、清掃作業が容易で、かつ簡易構造のためコスト高にならない浴室の排水用樋部材を提供することを目的とする。
【０００５】
【課題を解決するための手段】
上記課題を解決するための手段として本発明は、浴室出入口の建具下枠に流入した排水を浴室内の排水口側まで導くために、防水パンの周縁に形成された周縁溝内に対し上方に取り外し得るように着脱自在に装着された排水用樋部材であって、建具下枠から流出する排水を受け入れて排水口側まで導く樋部と、周縁溝の上部を閉塞する閉塞部と、樋部と閉塞部とを連結する連結部とよりなることを特徴とする、浴室の排水用樋部材を提供する。
【０００６】
この構成によれば、排水用樋部材が周縁溝内に着脱自在に装着されているため、排水用樋部材を周縁溝から取り外して、清掃し易い姿勢で清掃を行えるため、清掃作業が容易になる。
【０００７】
この場合、樋部と、閉塞部と、連結部とは、断面略Ｃ字状に一体に形成されていることが、望ましい。
【０００８】
この構成によれば、排水用樋部材は樋部と、閉塞部と、連結部とにより断面略Ｃ字状に形成されており、簡易構造であるため、コスト高を招くことがない。
【０００９】
これらの場合、周縁溝には、その外側に建具下枠及び浴室の壁体が据え付けられており、閉塞部は、建具下枠と浴室の壁体に、又は建具下枠と浴室の壁体及び周縁溝に密接するよう張り出したシール部材を有することが、望ましい。
【００１０】
また、周縁溝には、その外側に建具下枠及び浴室の壁体が据え付けられており、樋部は、建具下枠と浴室の壁体に密接するよう張り出したシール部材を有することが、望ましい。
【００１１】
これらの構成によれば、閉塞部や樋部と、建具下枠や浴室の壁体又は周縁溝との間にシール部材を有しているため、排水用樋部材と周縁溝との間に排水が浸入するのを防止し、周縁溝の汚れを防止できると共に、排水用樋部材をぐらつきがない安定した状態で周縁溝内に装着することができる。
【００１２】
これらの場合、周縁溝は、防水パンの周縁に亘って連続して形成され、排水用樋部材は、周縁溝の線状部に位置する部分と、周縁溝のコーナー部に位置する部分とを、独立した別部材で形成することが、望ましい。
【００１３】
この構成によれば、排水用樋部材は、周縁溝の線状部に位置する部分と、周縁溝のコーナー部に位置する部分とを、独立した別部材で形成されているため、このコーナー部を最初に取り外すことによって、線状部に位置する長尺の排水用樋部材を取り外すための手掛かりをつくることができる。従って、長尺の排水用樋部材を容易に取り外すことができる。
【００１４】
これら場合、周縁溝のコーナー部に位置する部分には、着脱のための手掛りが形成されていることが、好ましい。
【００１５】
この構成によれば、周縁溝のコーナー部に位置する部分に着脱のための手掛りが形成されているため、コーナー部の着脱が容易であり、ひいては線状部の長尺の排水用樋部材の着脱も迅速に行うことができる。
【００１６】
【発明の実施の形態】
以下、添付図面を参照して、本発明の一実施形態に係る排水用樋部材を、浴室用折戸が設けられた浴室に適応させた場合について説明する。
【００１７】
図１、２に示す浴室用折戸１が設けられた浴室Ａは、脱衣室Ｂとの間に段差を無くしたバリアフリー設計のユニットバスで構成されており、浴室用折戸１の下枠１２も、後述の防水パン７及び樋部材８で構成される浴室床や脱衣室床とほぼ段差の無い構造となっている。
【００１８】
図２の縦断面図および図３の横断面図に示すように、浴室用折戸１は、枠体２に左扉体３ａおよび右扉体３ｂから成る扉体３を組み込んで構成され、左扉体３ａと右扉体３ｂとは、突き合わせた状態で、連結部材４を介して中折れ自在に連結されている。この場合、浴室用折戸１は、左右の両扉体３ａ，３ｂが浴室Ａ側に折り込まれることにより開放し、折り込んだ状態から左右の両扉体３ａ，３ｂが脱衣室Ｂ側に展開されることにより閉塞する。
【００１９】
枠体２は、アルミニウムの形材で構成された上枠１１、下枠１２および両縦枠１３，１３を枠組みして成り、浴室Ａの開口部に取り付けられている。上枠１１は、浴室Ａ側が立ち上がっていて全体として略「Ｌ」字状に形成され、水平部分の中間位置には、浴室Ａ側に両扉体３ａ，３ｂの開閉を案内する上ガイドレール１５が、脱衣室Ｂ側に上枠シール取付部１６が、それぞれ一体に垂設されている。そして、上枠シール取付部１６には、扉体３に向かって延びる上シール部材１７が取り付けられている。
【００２０】
同様に、下枠１２は、下枠中空部１９と、下枠中空部１９の上端からクランク状に脱衣室Ｂ側に延びる下枠見切り部２０と、下枠中空部１９の上端に立設した下ガイドレール２１と、下ガイドレール２１から浴室Ｂ側に水平に延びるパン連結部２２とで、一体に形成されている。下枠見切り部２０の立上げ部分には、下枠シール取付部２３が形成され、下枠シール取付部２３には、扉体３に向かって延びる下シール部材２４が取り付けられている。
【００２１】
下枠１２は、その下枠中空部１９で、浴室Ａの防水パン７の据付溝７１に載置されるように配設されており、下枠中空部１９の下面と据付溝７１の上面との間に介設した乾式シール２５ａと現地で施工する湿式シール２５ｂとにより、防水パン７との間をシールされている。
【００２２】
左右の各縦枠１３は、浴室Ａ側が額縁状に折り曲げられていて全体として略「Ｌ」字状に形成され、脱衣室Ｂ側の中間部分には、縦枠シール取付部２６が直角に延設されている。また、縦枠シール取付部２６には、扉体３に向かって延びる縦シール部材２７が取り付けられている。そして、これら上シール部材１７、下シール部材２４および両縦シール部材２７，２７により、左右両扉体３ａ，３ｂと枠体２との間が四周に亘ってシールされている。
【００２３】
左右各扉体３ａ，３ｂは、アルミニウムの形材で構成された上框３１、下框３２および中桟３３に、縦框３４および連結縦框３５とを框組みすると共に、これに樹脂製の上下のパネル体３６，３６を嵌め込んで構成されている。中桟３３には、脱衣室Ｂ側に引手部３８が一体に形成され、浴室Ａ側に引手を兼ねるタオル掛け３９が取り付けられている。各扉体３ａ，３ｂの下框３２には、室内外を連通する開閉機構付きの換気ガラリ４０が形成されている。また、左扉体３ａの連結縦框３５にはラッチ機構４１が、右扉体３ｂの連結縦框３５には閉塞ロック機構４２が組み込まれている。さらに、各扉体３ａ，３ｂの縦框３４には、後述する上スライダ４９ａを上ガイドレール１５から離脱させる離脱機構４３が組み込まれている。
【００２４】
各扉体３ａ，３ｂの下框３２には、その下端部の浴室Ａ側に浴室側シール部材４５が、また左右の両扉体３ａ，３ｂの連結部分には、浴室側シール部材４５と両外端部が重なるように中間シール部材４６が取り付けられている。同様に、各縦框３４には、縦枠１３に密接する横向きシール部材４７が取り付けられている。一方、各扉体３ａ，３ｂの縦框３４には、上下のピンヒンジ（グラビティヒンジ）４８，４８を介して上スライダ４９ａおよび下スライダ４９ｂがそれぞれ取り付けられ、各扉体３ａ，３ｂはこの上スライダ４９ａおよび下スライダ４９ｂにより、上ガイドレール１５および下ガイドレール２１に、それぞれスライド自在に支持されている。ただし、右扉体３ｂの上下両スライダ４９ａ，４９ｂは、上下両ガイドレール１５，２１に固定されている。
【００２５】
次に、図４を参照して、扉体３の下端部と下枠１２との間のシール構造について、詳細に説明する。下框３２の下端部には、浴室側片３２ａと脱衣室側片３２ｂとが形成されており、浴室側片３２ａの下端部には、円形且つ斜め内向きの浴室側シール取付部５１が形成されており、浴室側シール取付部５１には、先端部を下ガイドレール２１に密接した上記の浴室側シール部材４５が、装着されている。同様に、左扉体３ａと右扉体３ｂの連結部分に設けた支持部材５２には、先端部を下ガイドレール２１に密接した上記の中間シール部材４６が、装着されている。
【００２６】
また、下框３２の脱衣室側片３２ｂの下端部は、脱衣室Ｂ側にわずかに突出しており、この突出部分３２ｃには、下枠１２の下枠シール取付部２３に装着した上記の下シール部材２４が密接している。このように、浴室Ａの床排水は、浴室側シール部材４５および中間シール部材４６が浴室Ａ側の止水ラインとなって一次止水され、これから漏れた床排水は、下シール部材２４が脱衣室Ｂ側の止水ラインとなって二次止水される。そして、下シール部材２４で止水された床排水は、下枠１２に形成した水抜き孔５３等から、浴室Ａ側に設けた樋部材８に導かれる。
【００２７】
図１、４、５に示すように、浴室Ａの洗い場の床部は防水パン７で構成されており、その床板７３上の排水が、防水パン７に開設された排水口７５に集水されるように、全体的になだらかな勾配が付けられている。なお排水口７５は、図示しない排水トラップに連通されている。そして、防水パン７の周縁部に、浴室用折戸１等の建具と浴室の壁体９７とが立設され、また図示しない浴槽が隣接して据え付けられて浴室が構成される。
【００２８】
なお、図１に示すような長方形の防水パン７の場合には、一例として、排水口７５側の短辺と対向する短辺に浴室用折戸１を、排水口７５側の短辺と二つの長辺のどちらか一方に壁体９７を据え付け、残りの長辺に隣接させて浴槽を据え付けることが考えられるが、これらの配置は変更可能であり、また防水パン７の平面形状が異なればそれに対応させた配置構造となるのは言うまでもない。
【００２９】
防水パン７は、浴室Ａの床面となる床板７３の下面を複数のリブ７４で補強さており、床板７３の周縁部には周縁溝が連続して凹設される。この周縁溝は外周側の据付溝７１と内周側の装着溝７２とよりなる。即ち、浴室用折戸１の下枠１２（図４）や浴室の壁体９７（図５）を据え付ける据付溝７１が防水パン７の外周側に連続して凹設され、その内周側に沿って、樋部材８が着脱自在に装着される装着溝７２が連続して凹設されている。
【００３０】
装着溝７２は、内部に溜まった排水が、排水口７５側に集水されるように、全体的になだらかな勾配が付けられており、また、据付溝７１よりも底が深く形成されている。
【００３１】
樋部材８は、図４、６に示すように、防水パン７の装着溝７２内に合致する断面略Ｃ字状で、かつ長手方向の両端を開放した長尺部材であって、下枠１２側から流出する排水を受け入れて排水口７５まで導く樋部８１と、装着溝７２の上部を閉塞する閉塞部８２と、樋部８１と閉塞部８２とを連結する連結部８３とよりなる。この樋部材８を装着溝７２内に装着する場合は、装着溝７２の底面と樋部８１の下面との間に滑り止め部材７６を介在させておくとよい。なお、樋部材８は、装着溝７２の一辺と略等しい長さのものを装着してもよいが、それを複数に分割した長さのものを装着してもよい。
【００３２】
樋部８１は、底部８１ａと、この底部８１ａの連結部８３の反対側に一体に立ち上げた立上がり部８１ｂとよりなる。立上がり部８１ｂは、下枠中空部１９の下部に到達する程度の高さとする。そして、この立上がり部８１ｂの上端と、閉塞部８２との間に、下枠１２側からの排水が樋部８１内に流入可能な開口部８４が確保される。なお、開口部８４は、樋部材８の長手方向の全長に亘って連続して形成してもよいし、断続的に形成してもよい。
【００３３】
閉塞部８２は、本実施の形態では平面状に形成され、防水パン７の床板７３と略面一になるよう構成される。また、図４、５に示すように、閉塞部８２の幅方向の両端には、下枠１２のパン連結部２２や浴室周囲の壁体９７に密接するシール部材８５ａと、防水パン７の装着溝７２に密接するシール部材８５ｂとを、閉塞部８２の長手方向の全長に亘って、閉塞部８２の上面と面一になるよう水平方向に張り出させて形成する。
【００３４】
また、樋部８１の立上がり部８１ｂの上部外面にも、下枠中空部１９や壁体９７に密接するシール部材８５ｃを、樋部８１の長手方向の全長に亘って水平方向に張り出させて形成する。なお、樋部材８部分に硬質の樹脂材を用い、シール部材８５ａ、８５ｂ、８５ｃ部分に軟質の樹脂材を用いて、これらを一体成型して製造するとよい。
【００３５】
図１に示すように、樋部材８は、装着溝７２の線状部（本実施形態では直線部）に装着されるが、装着溝７２のコーナー部には、これらの樋部材８とは独立した別部材により形成され、装着溝７２に着脱自在に装着可能なコーナー用樋部材９を用いる。
【００３６】
このコーナー用樋部材９は、長尺の樋部材８と比較すると短寸なブロック状に形成され、樋部材８と同様な機能を果たす樋部９１、閉塞部９２、連結部９３、開口部９４よりなる。これらの部位は、コーナー部において突き合う長尺状の両樋部材８の樋部８１、閉塞部８２、連結部８３、開口部８４同士を連続させられるように、コーナーの角度に対応させて曲折して形成されている。本実施の形態では、装着溝７２のコーナー部は直角であるため、上記各部位も直角に曲折して形成した場合である。
【００３７】
また、閉塞部９２の外周縁部には、コーナー部において突き合う両樋部材８のシール部材８５ａ同士とシール部材８５ｃ同士を連続させられるように、シール部材９５ａと９５ｂを直角方向に曲折させて突設する。このシール部材９５ａと９５ｂは止水効果の他に、長尺状の樋部材８を装着溝７２内に収納装着する際の公差を吸収する機能も有している。
【００３８】
さらに、図７に示すように、閉塞部９２を上下に貫通する孔９６を設けて、これを手掛りとしてコーナー用樋部材９を装着溝７２内から容易に取り外せるよう構成する。普段は孔９６は栓体９７で閉塞しておく。なお、コーナー用樋部材９の樋部材８との当接端面には、所定角θの勾配を設けておき、両側に樋部材８を装着した後にそれらの間に圧入して、当接端面同士を圧着させることができる。
【００３９】
図８は、防水パン７の装着溝７２が浅い場合に用いる第２実施形態の樋部材１０を示す。この樋部材１０は、上述の樋部材８と同様な機能を果たす樋部１０ａ、閉塞部１０ｂ、連結部１０ｃ、開口部１０ｄよりなり、樋部１０ａと閉塞部１０ｂとは、凸曲面状の連結部１０ｃにより連結し、シール部材１０ｅは、下枠１２のパン連結部２２及び図示しない壁体に密接し、シール部材１０ｆは下枠中空部１９に密接するよう突設されている。
【００４０】
なお、本実施形態では、浴室用折戸について説明したが、シャワー室の折戸などの水密性が要求される他の折戸にも適用できることは、いうまでもない。
【００４１】
【発明の効果】
以上のように本発明の排水用樋部材によれば、排水用樋部材が周縁溝内に着脱自在に装着されているため、排水用樋部材を周縁溝から取り外して、清掃し易い姿勢で清掃を行えるため、清掃作業が容易になる。
【００４２】
また、排水用樋部材は、樋部と、閉塞部と、連結部とにより断面略Ｃ字状に形成されており、簡易構造であるため、コスト高を招くことがない。
【００４３】
閉塞部や樋部と、建具下枠や浴室の壁体又は周縁溝との間にシール部材を有しているため、排水用樋部材と周縁溝との間に排水が浸入するのを防止し、周縁溝の汚れを防止できると共に、排水用樋部材をぐらつきがない安定した状態で周縁溝内に装着できるため、入浴者の足元が不安定になることがなく、安全である。
【００４４】
排水用樋部材は、周縁溝の線状部に位置する部分と、周縁溝のコーナー部に位置する部分とが、独立した別部材で形成されているため、このコーナー部を最初に取り外すことによって、線状部に位置する長尺の排水用樋部材を取り外すための手掛かりをつくることができる。従って、長尺の排水用樋部材を容易に取り外すことができる。
【００４５】
周縁溝のコーナー部に位置する部分に着脱のための手掛りが形成されているため、コーナー部の着脱が容易であり、ひいては線状部の長尺の排水用樋部材の着脱も迅速に行うことができる。
【図面の簡単な説明】
【図１】本発明の一実施形態の排水用樋部材全体の平面図（ａ）とその縦断面図（ｂ）である。
【図２】実施形態の排水用樋部材及び浴室用折戸の縦断面図である。
【図３】実施形態の浴室用折戸の横断面図である。
【図４】実施形態の排水用樋部材と浴室用折戸の下枠廻りのシール構造の拡大縦断面図である。
【図５】実施形態の排水用樋部材と浴室の壁体下部の拡大縦断面図である。
【図６】実施形態の樋部材とコーナー用樋部材の斜視図である。
【図７】実施形態の樋部材とコーナー用樋部材の側面図である。
【図８】第２実施形態の排水用樋部材と浴室用折戸の下枠廻りのシール構造の拡大縦断面図である。
【符号の説明】
１  浴室用折戸、２  枠体、３  扉体、１０  樋部材、１０ａ  樋部、１０ｂ閉塞部、１０ｃ  連結部、１０ｄ  開口部、１０ｅ  シール部材、１０ｆ  シール部材、１２  下枠、１９  下枠中空部、２２  パン連結部、７  防水パン、７１  据付溝、７２  装着溝、７３  床板、７５  排水口、７７  装着溝、８  樋部材、８１  樋部、８２  閉塞部、８３  連結部、８４  開口部、８５ａ  シール部材、８５ｂ  シール部材、８５ｃ  シール部材、９  コーナー用樋部材、９１  樋部、９２  閉塞部、９３  連結部、９４  開口部、９５ａ  シール部材、９５ｂ  シール部材、９７  壁体、Ａ  浴室、Ｂ  脱衣室、
【図１】
0003578977.tif 000002
【図２】
0003578977.tif 000003
【図３】
0003578977.tif 000004
【図４】
0003578977.tif 000005
【図５】
0003578977.tif 000006
【図６】
0003578977.tif 000007
【図７】
0003578977.tif 000008
【図８】
0003578977.tif 000009